【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
流体タンクから流体を放出するための、改良したポンプディスペンサーであって、次の構成および条件を備えることを特徴とする、ポンプディスペンサー。
・第１および第２の円筒形の端の間に伸びるポンプ本体。
・前記ポンプ本体の前記第１の端にあるポンプ本体オリフィス。
・前記ポンプ本体にスライド可能に設けたピストン。
・前記流体タンクに関して前記ポンプ本体を支持するベース。
・第１の部分と第２の部分との間に伸びるトリガー。
・前記ベースに関して前記トリガーを旋回可能に取り付けるベースピボット。
・前記トリガーの前記第１の部分に定まる第１および第２のカム。
・前記ポンプ本体の向かい合う側を跨ぐ、Ｕ形状のリンケージであり、前記ピストンにかかわり合うリンケージ。
・前記Ｕ形状のリンケージの第１および第２の末端にある第１および第２のカムフォロアーであり、前記トリガーの前記第１の部分に定まる第１および第２のカムと結合する。
・前記第１のカムフォロアーは、第１の下部カムフォロアーと、第１の上部カムフォロアーとを備える。
・前記第２のカムフォロアーは、第２の下部カムフォロアーと、第２の上部カムフォロアーとを備える。
・前記第１の下部カムフォロアーおよび前記第１の上部カムフォロアーは、前記第１のカムに対して、作動しないトリガー状態と一杯に押し下げたトリガー状態との間で異なる配置であり、それにより、前記トリガーの前記第２の部分の旋回運動を可能にし、前記ピストンを直線的に動かし、前記ポンプ本体オリフィスから流体を噴霧する。
・前記第２の下部カムフォロアーおよび前記第２の上部カムフォロアーは、前記第２のカムに対して、作動しないトリガー状態と一杯に押し下げたトリガー状態との間で異なる配置であり、それにより、前記トリガーの前記第２の部分の旋回運動を可能にし、前記ピストンを直線的に動かし、前記ポンプ本体オリフィスから流体を噴霧する。
【請求項２】
前記第１および第２のカムフォロアーのそれぞれは、複数のカムフォロアー突起を含む、請求項１のポンプディスペンサー。
【請求項３】
前記ポンプ本体の向かい合う両側に、第１および第２の直線スロットがあり、前記第１および第２の直線スロットに、前記Ｕ形状のリンケージがスライド可能に設けられる、請求項１のポンプディスペンサー。
【請求項４】
前記Ｕ形状のリンケージの間に伸びる付属物結合部材をさらに含み、それにより、前記トリガーの作動のとき、前記Ｕ形状のリンケージの直線動を助ける、請求項１のポンプディスペンサー。
【請求項５】
前記第１のカムフォロアー、前記第２のカムフォロアー、および前記付属物結合部材によって定まる結合部材溝をさらに含み、しかも、その結合部材溝は、前記ポンプ本体を取り囲む配置であり、それにより、前記ポンプ本体に対する前記Ｕ形状のリンケージの直線動をさらに助ける、請求項４のポンプディスペンサー。
【請求項６】
次の構成および条件をさらに備えることを特徴とする、請求項１のポンプディスペンサー。
・前記Ｕ形状のリンケージに結合し、前記ポンプ本体に向かって伸びる、上部ガイドリブ。
・前記Ｕ形状のリンケージに結合し、前記ポンプ本体に向かって伸びる、下部ガイドリブ。
・前記上部ガイドリブおよび下部ガイドリブは、前記ポンプ本体に対する前記Ｕ形状のリンケージの直線動を助けることにより、前記Ｕ形状のリンケージが前記ポンプ本体に対して動かなくなることを防ぐ。
【請求項７】
流体タンクから流体を放出するための、改良したポンプディスペンサーであって、次の構成および条件を備えることを特徴とする、ポンプディスペンサー。
・第１および第２の円筒形の端の間に伸びるポンプ本体。
・前記ポンプ本体の前記第１の端にあるポンプ本体オリフィス。
・前記ポンプ本体にスライド可能に設けたピストン。
・前記流体タンクに関して前記ポンプ本体を支持するベース。
・第１の部分と第２の部分との間に伸びるトリガー。
・前記ベースに関して前記トリガーを旋回可能に取り付けるベースピボット。
・前記トリガーの前記第１の部分に定まる第１および第２のカム。
・前記ピストンにかかわり合うリンケージ。
・前記Ｕ形状のリンケージにある第１および第２のカムフォロアーであり、前記トリガーの前記第１の部分に定まる第１および第２のカムと結合する。
・前記第１のカムフォロアーは、第１の下部カムフォロアーと、第１の上部カムフォロアーとを備える。
・前記第２のカムフォロアーは、第２の下部カムフォロアーと、第２の上部カムフォロアーとを備える。
・前記第１の下部カムフォロアーおよび前記第１の上部カムフォロアーは、前記第１のカムに対して、作動しないトリガー状態と一杯に押し下げたトリガー状態との間で異なる配置であり、それにより、前記トリガーの前記第２の部分の旋回運動を可能にし、前記ピストンを直線的に動かし、前記ポンプ本体オリフィスから流体を噴霧する。
・前記第２の下部カムフォロアーおよび前記第２の上部カムフォロアーは、前記第２のカムに対して、作動しないトリガー状態と一杯に押し下げたトリガー状態との間で異なる配置であり、それにより、前記トリガーの前記第２の部分の旋回運動を可能にし、前記ピストンを直線的に動かし、前記ポンプ本体オリフィスから流体を噴霧する。
【請求項８】
前記Ｕ形状のリンケージの間に伸びる付属物結合部材をさらに含み、それにより、前記トリガーの作動のとき、前記Ｕ形状のリンケージの直線動を助ける、請求項７のポンプディスペンサー。
【請求項９】
前記第１のカムフォロアー、前記第２のカムフォロアー、および前記付属物結合部材によって定まる結合部材溝をさらに含み、しかも、その結合部材溝は、前記ポンプ本体を取り囲む配置であり、それにより、前記ポンプ本体に対する前記Ｕ形状のリンケージの直線動をさらに助ける、請求項８のポンプディスペンサー。
【請求項１０】
次の構成および条件をさらに備えることを特徴とする、請求項７のポンプディスペンサー。
・前記リンケージに結合し、前記ポンプ本体に向かって伸びる、上部ガイドリブ。
・前記リンケージに結合し、前記ポンプ本体に向かって伸びる、下部ガイドリブ。
・前記上部ガイドリブおよび下部ガイドリブは、前記ポンプ本体に対する前記リンケージの直線動を助けることにより、前記リンケージが前記ポンプ本体に対して動かなくなることを防ぐ。
【請求項１１】
前記ポンプ本体を前記ベースに結合するベースコネクタは、変形を伴う結合によって前記ポンプ本体を前記ベースに結合し、それによって、組立てを簡単にすること、および/またはポンプディスペンサーの外観を変えること、を可能にする、請求項７のポンプディスペンサー。
【請求項１２】
前記ポンプ本体を前記ベースに結合するベースコネクタは、変形を伴う結合によって前記ポンプ本体を前記ベースに結合し、それによって、ノズルデザインを複合化し、ポンプディスペンサーの噴霧特性を変えることができる、請求項７のポンプディスペンサー。
【請求項１３】
前記ポンプ本体を前記ベースに結合するベースコネクタは、変形を伴う結合によって前記ポンプ本体を前記ベースに結合し、それによって、トリガー要素を複合化し、ポンプディスペンサーの外観、作動力および使い勝手を変えることができる、請求項７のポンプディスペンサー。
【請求項１４】
前記ピストンに対し仕事をしない位置に向かう力を与えるリターンスプリングを含み、前記トリガーは旋回し、前記リターンスプリングの力に抗して前記ピストンを動かし、前記ポンプ本体オリフィスから流体を噴霧する、請求項７のポンプディスペンサー。
【請求項１５】
前記ポンプ本体を前記ベースに結合するベースコネクタは、前記ポンプ本体を前記ベースに固定し、異なるポンプ本体の取替えを可能とした、請求項７のポンプディスペンサー。
【請求項１６】
前記ポンプ本体を覆うフードを含み、ポンプディスペンサーの外観を変えることができる、請求項７のポンプディスペンサー。
【請求項１７】
前記ベースから伸びるアームを含み、前記ベースピボットは、そのアームに支持され、前記トリガーを旋回する、請求項７のポンプディスペンサー。
【手続補正２】
【補正対象書類名】明細書
【補正対象項目名】００５７
【補正方法】変更
【補正の内容】
【００５７】
ポンプ本体３０の第１の端３１は、閉じた端であるのに対し、ポンプ本体３０の第２の端３２は開いている。ポンプ本体３０の閉じた第１の端には、ポンプ本体オリフィス３４がある。図３および図３３に示すように、ノズルチェック弁１００が、ポンプ本体オリフィス３４に結合され、ポンプ本体３０の中への空気戻りを防ぐ。側壁３３にはスロット３５があり、第２の端３２から伸びている。この例において、ポンプ本体３０の対向する側にあるものは、第１および第２の直線的なスロット３５Aおよび３５Bである。